(57)【要約】【課題】収納機能に加えて第２の機能を有し、内容物を取り出した後も収納以外の用途で使用することができる収納ケースを提供する。【解決手段】上面に開口部を有する箱体である収納箱と、下面に開口部を有する箱体であって、前記収納箱の上面に被着される蓋部とからなり、前記蓋部が、その箱体内に収納以外の機能を有する第２機能部を備え、前記第２機能部は、目視により機能を発揮するものであり、前記蓋部は、前記第２機能部を目視できる状態で前記収納箱に保持され得るように形成されたことを特徴とする収納ケースとする。【選択図】図１
2014114039.tif 000002
【特許請求の範囲】
【請求項１】
上面に開口部を有する箱体である収納箱と、
下面に開口部を有する箱体であって、前記収納箱の上面に被着される蓋部とからなり、
前記蓋部が、その箱体内に収納以外の機能を有する第２機能部を備え、
前記第２機能部は、目視により機能を発揮するものであり、
前記蓋部は、前記第２機能部を目視できる状態で前記収納箱に保持され得るように形成されたことを特徴とする収納ケース。
【請求項２】
前記蓋部の開口部に対向する底部が凹形状になっており、前記第２機能部が前記底部に配されることを特徴とする請求項１に記載の収納ケース。
【請求項３】
前記蓋部の高さが、前記収納箱の開口部の直径あるいは開口部の一辺の長さよりも大きいことを特徴とする請求項１又は２に記載の収納ケース。
【請求項４】
前記第２機能部が、時計、温度計、湿度計、鏡、ライト、地図及びカレンダーのうちの１種以上であることを特徴とする請求項１乃至３いずれかに記載の収納ケース。
【発明の詳細な説明】
【技術分野】
【０００１】
本発明は、収納機能に加えて第２の機能を有し、内容物を取り出した後も収納以外の用途で使用することができる収納ケースに関するものである。
【背景技術】
【０００２】
従来、お菓子などを収納するものとして、蓋付きの収納箱が用いられている（例えば、特許文献１）。お菓子などを贈り物とするときには、収納箱に入れてラッピングした状態で人に贈ったりあるいは人から貰ったりすることが多い。しかし、お菓子などの内容物を取り出した後は、この収納箱は使い道が無く、捨ててしまったりあるいは他の物を収納したりするしかなかった。捨ててしまうのは資源の無駄遣いであり、また他の物を収納するにしても、結局元の収納箱が不要となってしまう。
【先行技術文献】
【特許文献】
【０００３】
【特許文献１】特開２０００−１５３８３１号公報
【発明の開示】
【発明が解決しようとする課題】
【０００４】
本発明は、上述したような問題点を解決すべくなされたものであって、収納機能に加えて第２の機能を有し、内容物を取り出した後も収納以外の用途で使用することができる収納ケースを提供するものである。
【課題を解決するための手段】
【０００５】
請求項１に係る発明は、上面に開口部を有する箱体である収納箱と、下面に開口部を有する箱体であって、前記収納箱の上面に被着される蓋部とからなり、前記蓋部が、その箱体内に収納以外の機能を有する第２機能部を備え、前記第２機能部は、目視により機能を発揮するものであり、前記蓋部は、前記第２機能部を目視できる状態で前記収納箱に保持され得るように形成されたことを特徴とする収納ケースに関する。
【０００６】
請求項２に係る発明は、前記蓋部の開口部に対向する底部が凹形状になっており、前記第２機能部が前記底部に配されることを特徴とする請求項１に記載の収納ケースに関する。
【０００７】
請求項３に係る発明は、前記蓋部の高さが、前記収納箱の開口部の直径あるいは開口部の一辺の長さよりも大きいことを特徴とする請求項１又は２に記載の収納ケースに関する。
【０００８】
請求項４に係る発明は、前記第２機能部が、時計、温度計、湿度計、鏡、ライト、地図及びカレンダーのうちの１種以上であることを特徴とする請求項１乃至３いずれかに記載の収納ケースに関する。
【発明の効果】
【０００９】
請求項１に係る発明によれば、蓋部がその箱体内に収納以外の機能を有する第２機能部を備えており、蓋部が第２機能部を目視できる状態で収納箱に保持され得るように形成されていることにより、収納箱に収納された内容物を取り出した後も収納以外の用途（第２の機能）で使用することができる。また、第２の機能としての用途で使用する間も収納箱に物を収納することができる。
【００１０】
請求項２に係る発明によれば、蓋部の開口部に対向する底部が凹形状になっており、第２機能部が蓋部の底部に配されることにより、斜めからでも蓋部の側面によって邪魔されることなく第２機能部を目視することができる。
【００１１】
請求項３に係る発明によれば、蓋部の高さが、前記収納箱の前記開口部の直径あるいは前記開口部の一辺の長さよりも大きいことにより、第２機能部が目視できる状態で蓋部を収納箱に容易に保持することができる。これにより、収納箱に収納された内容物を取り出した後も、第２機能部による第２の機能としての用途で使用することができる。
【００１２】
請求項４に係る発明によれば、収納箱に収納された内容物を取り出した後も、時計、温度計、湿度計、鏡、ライト、地図及びカレンダーとして使用できる。
【図面の簡単な説明】
【００１３】
【図１】本発明に係る第１実施形態の収納ケースの外観図である。
【図２】本発明に係る第２実施形態の収納ケースの外観図である。
【図３】本発明に係る第１実施形態の収納ケースの、内容物を取り出した後の使用例を示す図である。
【図４】本発明に係る第２実施形態の収納ケースの、内容物を取り出した後の使用例を示す図である。
【図５】内容物を取り出した後の収納ケースの使用状態を示す断面図である。
【図６】本発明に係る第３実施形態の収納ケースの蓋部を示す断面図である。
【図７】本発明に係る第４実施形態の収納ケースの蓋部を示す断面図である。
【発明を実施するための形態】
【００１４】
以下、本発明に係る収納ケースについて図面を参照しながら説明する。
【００１５】
図１は、本発明に係る第１実施形態の収納ケースの外観図であり、図２は、本発明に係る第２実施形態の収納ケースの外観図である。
本発明の収納ケース（１０）は、上面に開口部を有する箱体である収納箱（１）と、下面に開口部を有する箱体である蓋部（２）とからなる。蓋部（２）は、収納箱（１）の上面に被着される。
収納箱（１）には、お菓子等の物を収納することができ、上面に蓋部（２）が被着されることにより、内容物を包装することができる。
収納箱（１）と蓋部（２）の材質は、特に限定されるものではなく、紙や段ボール製でもよく、樹脂製でもよく、金属製であってもよい。
収納ケース（１）と蓋部（２）の形状は、特に限定されるものではなく、図１に示す第１実施形態のように円筒状であってもよく、図２に示す第２実施形態のように四角筒状であってもよく、その他の形状であってもよい。
【００１６】
図３は、本発明に係る第１実施形態の収納ケースの、内容物を取り出した後の使用例を示す図であり、図４は、本発明に係る第２実施形態の収納ケースの、内容物を取り出した後の使用例を示す図である。
蓋部（２）は、その箱体内に収納以外の機能を有する第２機能部（３）を備えている。第２機能部（３）は、目視により機能を発揮するものであって、例えば、時計、温度計、湿度計、鏡、ライト、地図及びカレンダーなどを例示することができる。図３，４には、第２機能部（３）が時計である場合の例を示している。以後、本明細書において、第２機能部（３）を時計（３）ということもある。
第２機能部（３）は、目視により機能を発揮する部分が蓋部（２）下面の開口部に向くように配置されている。内容物を取り出した後に第２の機能として使用する際には、後述するように、蓋部（２）を下面の開口部が横向きあるいは上向きとなるようにして使用される。
図３，４に示すように、蓋部（２）は、第２機能部（３）の目視により機能を発揮する部分（時計（３）の表示部（３ａ））が目視できる状態で収納箱（１）に保持され得るように形成される。
このように、蓋部（２）がその箱体内に時計（３）を備えており、蓋部（２）が時計（３）の表示部（３ａ）が目視できる状態で収納箱（１）に保持され得るように形成されていることにより、内容物を取り出した後も時計として使用することができる。時計として使用している間も、収納箱（１）に物を収納することができるので、収納ケース（１０）は、時計としての機能に加えて収納ケースとしても機能する。
【００１７】
蓋部（２）の高さは、収納箱（１）の開口部の直径あるいは開口部の一辺の長さよりも大きいことが好ましい。
図５は、内容物を取り出した後の収納ケースの使用状態を示す断面図である。時計（３）が無理なく目視できる状態とするためには、図３，４に示すように、時計（３）の表示部（３ａ）が垂直からやや上向きとなるように、蓋部（２）が保持されることが好ましい。
よって、図５に示すように、蓋部（２）の高さ（Ｂ）が、収納箱（１）の開口部の直径（収納箱が円筒状の場合）あるいは開口部の一辺の長さ（収納箱が四角筒状あるいはその他の形状の場合）（Ａ）よりも大きいことが好ましい。これにより、時計（３）の表示部（３ａ）が垂直からやや上向きとなるように蓋部（２）が保持され、時計（３）の表示部（３ａ）を目視し易くなる。
【００１８】
図６に示すように、蓋部（２）の開口部に対向する底部（２ａ）は凹形状（４）となっていることが好ましく、第２機能部（３）（時計（３））が底部（２ａ）に配されることが好ましい。これにより、斜めからでも時計（３）の表示部（３ａ）を蓋部（２）の側面に邪魔されることなく目視することが可能となる。
また、図７に示すように、時計（３）が、蓋部（２）の底部（２ａ）から空隙部（５）を介して配されていてもよい。このようにすることで、同様に斜めからでも時計（３）の表示部（３ａ）を蓋部（２）の側面に邪魔されることなく目視することが可能となる。
【産業上の利用可能性】
【００１９】
本発明は、小物入れや贈り物用の包装箱などに好適に利用される。
【符号の説明】
【００２０】
１    収納箱
２    蓋部
２ａ  底部
３    第２機能部（時計）
３ａ  表示部
４    凹形状
５    空隙部
１０  収納ケース
【図１】
2014114039.tif 000003
【図２】
2014114039.tif 000004
【図３】
2014114039.tif 000005
【図４】
2014114039.tif 000006
【図５】
2014114039.tif 000007
【図６】
2014114039.tif 000008
【図７】
2014114039.tif 000009